(57)【要約】【課題】上横杆、下横杆、左縦杆及び右縦杆からなる略四角枠状の複数個の干枠体を、隣り合う干枠体の左縦杆間及び右縦杆間にそれぞれ配置され、二個の支持リンクを支軸により枢着してなるＸ状リンク及び干枠体の左縦杆及び右縦杆に摺動自在に設けられ、Ｘ状リンクの二個の支持リンクの各端部が連結ピンにより枢着連結された上下一対の摺動筒により折り畳み状態から展開状態に配置することができる。【解決手段】干枠体１を複数個並列状に配置し、隣り合う干枠体の左縦杆間及び右縦杆間にそれぞれ二個の支持リンク２ａを支軸２ｂにより枢着してなるＸ状リンク２を配置し、干枠体の左縦杆及び右縦杆に摺動筒３を摺動自在に設け、左縦杆及び右縦杆を伸縮調節自在に設け、上横杆に先端部を隣り合う上横杆上に載置可能な橋絡杆５の基部を回動自在に設け、橋絡杆に複数個の吊り具６を設けてなる。【選択図】図１
2008279199.tif 000002
【特許請求の範囲】
【請求項１】
上横杆、下横杆、左縦杆及び右縦杆からなる略四角枠状の干枠体を複数個並列状に配置し、該隣り合う干枠体の左縦杆間及び右縦杆間にそれぞれ二個の支持リンクを支軸により枢着してなるＸ状リンクを配置し、該干枠体の左縦杆及び右縦杆に上下一対の摺動筒を摺動自在に設け、該Ｘ状リンクの二個の支持リンクの各端部を上下一対の摺動筒にそれぞれ連結ピンにより枢着連結し、該左縦杆及び右縦杆を伸縮調節自在に設け、該上横杆に先端部を隣り合う上横杆上に載置可能な橋絡杆の基部を回動自在に設け、該橋絡杆に複数個の吊り具を設けてなることを特徴とする物干し具。
【請求項２】
上記上横杆及び下横杆を伸縮調節自在に設けてなることを特徴とする請求項１記載の物干し具。
【請求項３】
上記上横杆に上記橋絡杆の先端部を嵌脱可能な嵌脱部を設けてなることを特徴とする請求項１又は２記載の物干し具。
【発明の詳細な説明】
【技術分野】
【０００１】
本発明は例えば一般家庭の庭先に設置して布団や洗濯物を干す際に用いられる物干し具に関するものである。
【背景技術】
【０００２】
従来、この種の物干し具として、上部横杆部、下部横杆部及び各外端部間に位置する縦杆部からなる略コ状の干し枠体と、干し枠体の上部横杆部及び下部横杆部の内端部間に配置され、該干し枠体を開閉自在に枢支する中央支柱体とからなる構造のものが知られている。
【特許文献１】特開昭５５−２４０８８号公報
【発明の開示】
【発明が解決しようとする課題】
【０００３】
しかしながら上記従来構造の場合、布団を干す際、布団を二つ折りにして二つ折りになった布団の対向面間の通気性が悪くなって乾燥効率が低下することがあるという不都合を有している。
【課題を解決するための手段】
【０００４】
本発明はこれらの不都合を解決することを目的とするもので、本発明のうちで、請求項１記載の発明は、上横杆、下横杆、左縦杆及び右縦杆からなる略四角枠状の干枠体を複数個並列状に配置し、該隣り合う干枠体の左縦杆間及び右縦杆間にそれぞれ二個の支持リンクを支軸により枢着してなるＸ状リンクを配置し、該干枠体の左縦杆及び右縦杆に上下一対の摺動筒を摺動自在に設け、該Ｘ状リンクの二個の支持リンクの各端部を上下一対の摺動筒にそれぞれ連結ピンにより枢着連結し、該左縦杆及び右縦杆を伸縮調節自在に設け、該上横杆に先端部を隣り合う上横杆上に載置可能な橋絡杆の基部を回動自在に設け、該橋絡杆に複数個の吊り具を設けてなることを特徴とする物干し具にある。
【０００５】
又、請求項２記載の発明は、上記上横杆及び下横杆を伸縮調節自在に設けてなることを特徴とするものであり、又、請求項３記載の発明にあっては、上記上横杆に上記橋絡杆の先端部を嵌脱可能な嵌脱部を設けてなることを特徴とするものである。
【発明の効果】
【０００６】
本発明は上述の如く、請求項１記載の発明にあっては、上横杆、下横杆、左縦杆及び右縦杆からなる略四角枠状の複数個の干枠体を、隣り合う干枠体の左縦杆間及び右縦杆間にそれぞれ配置され、二個の支持リンクを支軸により枢着してなるＸ状リンク及び干枠体の左縦杆及び右縦杆に摺動自在に設けられ、Ｘ状リンクの二個の支持リンクの各端部が連結ピンにより枢着連結された上下一対の摺動筒により展開状態に配置すると共に左縦杆及び右縦杆を伸縮調節し、上横杆に回動自在に設けられた橋絡杆の先端部を隣り合う上横杆上に載置し、この展開状態において、一般家庭の庭先等に設置し、上横杆及び橋絡杆上に布団を広げた状態で載せて干すことができ、かつ、上記橋絡杆に設けられた複数個の吊り具によって洗濯物を干すこともでき、不使用時には、複数個の干枠体を上記Ｘ状リンク及び摺動筒の摺動により折畳状態で格納することができ、コンパクトに収納することができ、かつ、各干枠体の各左縦杆及び右縦杆を順次高くなるように伸縮調節することにより布団の表面が太陽に向くように斜めに載せた状態で干すことができ、乾燥効率を高めることができ、使用の利便性を高めることができる。
【０００７】
又、請求項２記載の発明にあっては、上記上横杆及び下横杆を伸縮調節自在に設けてなるから、布団のサイズに応じて上横杆及び下横杆を伸縮調節することができ、又、請求項３記載の発明にあっては、上記上横杆に上記橋絡杆の先端部を嵌脱可能な嵌脱部を設けてなるから、上記橋絡杆の位置を確実に固定することができる。
【発明を実施するための最良の形態】
【０００８】
図１乃至図１３は本発明の実施の形態例を示し、図１乃至図１２は実施の第一形態例、図１３は実施の第二形態例である。
【０００９】
図１乃至図１２の実施の第一形態例において、１は干枠体であって、この場合、上横杆１ａ、下横杆１ｂ、左縦杆１ｃ及び右縦杆１ｄからなり、上横杆１ａと左縦杆１ｃ及び上横杆１ａと右縦杆１ｄとをエルボ状の接続管Ｅにより接続し、下横杆１ｂと左縦杆１ｃ及び下横杆１ｂと右縦杆１ｄとをＴ状の接続管Ｄにより接続して全体として略四角枠状に形成され、この干枠体１を複数個、この場合三個並列状に配置している。
【００１０】
２はＸ状リンクであって、この場合、二個の支持リンク２ａ・２ａを支軸２ｂにより枢着してなり、このＸ状リンク２を隣り合う干枠体１・１の左縦杆１ｃ・１ｃ間及び右縦杆１ｄ・１ｄ間にそれぞれ配置している。
【００１１】
３は上下一対の摺動筒であって、上記干枠体１の左縦杆１ｃ及び右縦杆１ｄに摺動自在に設けている。
【００１２】
そして、このＸ状リンク２の二個の支持リンク２ａ・２ａの各端部を上下一対の摺動筒３・３にそれぞれ連結ピン４により枢着連結している。
【００１３】
しかして、図１、図９の展開状態において、干枠体１・１・１を相互に近接移動させると、各Ｘ状リンク２の二個の支持リンク２ａ・２ａは支軸２ｂを中心に閉回動すると共に摺動筒３は左縦杆１ｃ及び右縦杆１ｄ上を上方に摺動し、これにより、図１０の如く、折り畳み状態にすることができる。
【００１４】
この場合、上記左縦杆１ｃ及び右縦杆１ｄは調節具Ｋにより伸縮調節自在に設けられ、即ち、図２の如く、この左縦杆１ｃ及び右縦杆１ｄを相互に挿通可能な一対の分割杆Ｆ・Ｇにより形成し、一方の分割杆Ｆに調節具Ｋの基部筒Ｋ1を固着し、基部筒Ｋ1に数個のスリットＫ2が形成され、基部筒Ｋ1にナット筒Ｋ3を螺着し、ナット筒Ｋ3を弛緩回動した状態で、一方の分割杆Ｆと他方の分割杆Ｇとの挿通摺動により伸縮調節した後、ナット筒Ｋ3を締付回動して左縦杆１ｃ及び右縦杆１ｄを伸縮調節自在に構成している。
【００１５】
５は橋絡杆であって、この場合、図１、図３、図７、図８の如く、上記上横杆１ａにＴ状の接続管Ｄを回動自在に挿通し、接続管Ｄに橋絡杆５の基部を挿通固定し、橋絡杆５の長さを先端部が隣り合う上横杆１ａ上に載置可能な長さに形成し、橋絡杆５に複数個の吊り具６を取り付け、しかして、上横杆１ａに先端部を隣り合う上横杆１ａ上に載置可能な橋絡杆５の基部を回動自在に設けて構成している。
【００１６】
又、この場合、上記上横杆１ａ及び下横杆１ｂは伸縮調節自在に設けられ、即ち、図１、図６、図１２の如く、上横杆１ａ及び下横杆１ｂを相互に挿通可能な一対の分割杆Ｌ・Ｍにより形成し、一方の分割杆Ｌの一方端部を上横杆１ａにあってはエルボ状の接続管Ｅに、下横杆１ｂにあってはＴ状の接続管Ｄに固定し、他方の分割杆Ｍの一方端部を同じく上横杆１ａにあってはエルボ状の接続管Ｅに、下横杆１ｂにあってはＴ状の接続管Ｄに固定し、他方の分割杆Ｍの他方端部にスライド筒Ｎを固定し、スライド筒Ｎに分割杆Ｌを挿通し、しかして、一方の分割杆Ｌと他方の分割杆Ｍとの挿通摺動により上横杆１ａ及び下横杆１ｂを伸縮調節自在に構成している。
【００１７】
７は嵌脱部であって、この場合、合成樹脂製により形成され、上記上横杆１ａに固定され、上記橋絡杆５の先端部を嵌脱可能に構成されている。
【００１８】
この実施の第一形態例は上記構成であるから、図１の如く、この場合、上横杆１ａ、下横杆１ｂ、左縦杆１ｃ及び右縦杆１ｄからなる略四角枠状の複数個の干枠体１・１・１を、隣り合う干枠体１・１・１の左縦杆１ｃ間及び右縦杆１ｄ間にそれぞれ配置され、二個の支持リンク２ａ・２ａを支軸２ｂにより枢着してなるＸ状リンク２及び干枠体の左縦杆及び右縦杆に摺動自在に設けられ、Ｘ状リンク２の二個の支持リンク２ａ・２ａの各端部が連結ピン４により枢着連結された上下一対の摺動筒３・３により展開状態に配置すると共に左縦杆１ｃ及び右縦杆１ｄを伸縮調節し、上横杆１ａに回動自在に設けられた橋絡杆５の先端部を隣り合う上横杆１ａ上に載置し、この展開状態において、一般家庭の庭先等に設置し、上横杆１ａ及び橋絡杆５上に布団Ｗを広げた状態で載せて干すことができ、かつ、上記橋絡杆５に設けられた複数個の吊り具６によって洗濯物を干すこともでき、不使用時には、図８、図１０の如く、複数個の干枠体１・１・１を上記Ｘ状リンク２及び摺動筒３の摺動により折畳状態で格納することができ、コンパクトに収納することができ、かつ、図２、図１２の如く、各干枠体１・１・１の各左縦杆１ｃ及び右縦杆１ｄを順次高くなるように伸縮調節することにより布団の表面が太陽に向くように斜めに載せた状態で干すことができ、乾燥効率を高めることができ、使用の利便性を高めることができる。
【００１９】
又、この場合、上記上横杆１ａ及び下横杆１ｂを伸縮調節自在に設けてなるから、図１２の如く、布団のサイズに応じて上横杆１ａ及び下横杆１ｂを伸縮調節することができ、又、この場合、上記上横杆１ａに上記橋絡杆５の先端部を嵌脱可能な嵌脱部７を設けてなるから、上記橋絡杆５の位置を確実に固定することができる。
【００２０】
図１３の実施の第二形態例は別例構造を示し、この場合、上記第一形態例においては、干枠体１を三個配置しているが、この第二形態例にあっては、干枠体１を二個配置して構成している。
【００２１】
この第二形態例にあっても、上記第一形態例と同様な作用効果を得ることができる。
【００２２】
尚、本発明は上記実施の形態例に限られるものではなく、例えば、干枠体１、Ｘ状リンク２の数や吊り具６、嵌脱部７の数や形態、構造等は適宜設計して変更される。
【００２３】
以上、所期の目的を充分達成することができる。
【図面の簡単な説明】
【００２４】
【図１】本発明の実施の第一形態例の全体斜視図である。
【図２】本発明の実施の第一形態例の部分断面図である。
【図３】本発明の実施の第一形態例の部分断面図である。
【図４】本発明の実施の第一形態例の部分側断面図である。
【図５】本発明の実施の第一形態例の部分側断面図である。
【図６】本発明の実施の第一形態例の部分断面図である。
【図７】本発明の実施の第一形態例の部分斜視図である。
【図８】本発明の実施の第一形態例の全体斜視図である。
【図９】本発明の実施の第一形態例の展開状態の側面図である。
【図１０】本発明の実施の第一形態例の折畳状態の側面図である。
【図１１】本発明の実施の第一形態例の展開状態の側面図である。
【図１２】本発明の実施の第一形態例の展開状態の前面図である。
【図１３】本発明の実施の第二形態例の全体斜視図である。
【符号の説明】
【００２５】
Ｗ    布団
１    干枠体
１ａ    上横杆
１ｂ    下横杆
１ｃ    左縦杆
１ｄ    右縦杆
２    Ｘ状リンク
２ａ    支持リンク
２ｂ    支軸
３    摺動筒
４    連結ピン
５    橋絡杆
６    吊り具
７    嵌脱部
【図１】
2008279199.tif 000003
【図２】
2008279199.tif 000004
【図３】
2008279199.tif 000005
【図４】
2008279199.tif 000006
【図５】
2008279199.tif 000007
【図６】
2008279199.tif 000008
【図７】
2008279199.tif 000009
【図８】
2008279199.tif 000010
【図９】
2008279199.tif 000011
【図１０】
2008279199.tif 000012
【図１１】
2008279199.tif 000013
【図１２】
2008279199.tif 000014
【図１３】
2008279199.tif 000015